(57)【特許請求の範囲】
【請求項１】
蓋のない籠状の水産養殖網であって、
ａ）前枠、
ｂ）左右側枠、
ｃ）後枠、
ｄ）底枠
を備え、前記前枠、前記左右側枠、前記底枠がすべて矩形の形状で、
前記網が主として金網製のフェンスで構成され、同金網が針金でできており、前記水産養殖網の輸送を容易にするため、前記左右側枠の少なくとも一部がその部分の対角線で折り畳み可能であるか、または折り畳まれており、前記前枠、前記左右側枠、前記底枠がさらに一回以上折り畳まれることを特徴とする水産養殖網。
【請求項２】
請求項１の水産養殖網であって、同針金に防汚および／または耐食コーティングを施した水産養殖網。
【請求項３】
請求項１または２のいずれかに記載の水産養殖網であって、その網にさらに使用中または設置中の網を支えるロープを１本以上備える水産養殖網。
【請求項４】
ａ．前枠、
ｂ．左右側枠、
ｃ．後枠
を備え、前記前枠、前記左右側枠がすべて矩形の、折り畳まれた水産養殖網構造であって、
前記網が主として金網製のフェンスで構成され、同金網が針金でできており、  輸送しやすいコンパクトな形状にするため、左右側枠の少なくとも一部がその対角線で折って畳まれており、前記前枠、前記左右側枠がさらに一回以上折り畳まれたことを特徴とする折り畳まれた状態の水産養殖網構造。
【請求項５】
請求項４の折り畳まれた水産養殖網構造であって、前記前枠に左辺、右辺および底辺があり、前記網構造がさらに１回もしくはそれ以上、前枠の左辺または右辺に平行な線で折り畳まれた水産養殖網構造。
【請求項６】
請求項５の水産養殖網構造であって、前記網構造がさらに１回もしくはそれ以上、前枠の底辺に平行な線で折って畳まれている水産養殖網構造。
【請求項７】
折り畳み可能な水産養殖網の製造方法であって、
ａ．前枠を用意するステップと、
ｂ．左右側枠を用意するステップと、
ｃ．後枠を用意するステップと
ｄ．底枠を用意するステップと
ｅ．同前枠、同左右側枠、同後枠、同底枠を相互につなぎ、蓋のない籠状にするステップと、
ｆ．左右側枠の少なくとも一部をその部分の対角線で折り畳むステップと、
ｇ．前記前枠、前記左右側枠、前記底枠がさらに一回以上折り畳むステップとを備え、前記網が主として金網製のフェンスで構成され、同金網が針金でできている、
折り畳み可能な水産養殖網の製造方法。
【発明の詳細な説明】
【技術分野】
【０００１】
本発明は、水産養殖網と、折り畳まれた水産養殖網の構造に関するものである。
【背景技術】
【０００２】
水産養殖網もしくは養魚網は、魚等の水生生物の養殖に使用する。水産養殖網は水生生物を収容して管理下に置き、網内の水生生物をサメ等の捕食動物から保護する。
【０００３】
前記水産養殖網は寸法が大きい。通常は、例えば３０ｍ×３０ｍ×１５ｍあり、末尾の寸法が水面下の網の深さ、前２つの寸法が水面における網開口部の幅と長さを示す。網は、ポリマー製でもよいし、亜鉛メッキ鋼線製でもよい。あくまで一例だが、亜鉛メッキ鋼線製で前記寸法の網は重量が４メートルトンを超える。
【０００４】
このように寸法と重量が大きいため、この水産養殖網の組み立ては、いかだ構造と全重量を支える巨大なクレーンがある港で行う必要がある。前記水産養殖網を組み立てるには、常にその底枠、両側枠、前枠、後枠の面積を合計した広さが求められる。前記の例では、これは３０ｍ×３０ｍ＋４×３０ｍ×１５ｍに相当し、網のためだけに計２７００ｍ２の面積が必要になる。
【発明の開示】
【０００５】
本発明の目的は、従来の技術の諸問題を回避することにある。
【０００６】
本発明の目的は、工場で製造可能な水産養殖網を提供することにもある。
また、本発明の目的は、狭い場所で組み立て可能な水産養殖網を提供することにもある。
さらに、本発明の目的は、トラックで輸送可能な水産養殖網を提供することにもある。
【０００７】
本発明の第１の態様が規定するのは、
ａ．前枠、
ｂ．左右側枠、
ｃ．後枠、および
ｄ．底枠
を備えた、蓋のない籠状の水産養殖網である。
【０００８】
前枠、左右側枠、底枠はすべて長方形または正方形であることが望ましい。前記水産養殖網の輸送を容易にするため、左右の側枠は少なくとも一部がその対角線で折り畳まれている。
【０００９】
水産養殖網の寸法は、５ｍ×５ｍ×５ｍ（長さ×幅×深さ）から最大で３０ｍ×３０ｍ×３０ｍ以上とすることができる。
【００１０】
この網は、折り畳める構造物または材料で作られる。
【００１１】
この網は、ポリエチレン、ポリエステル、ポリアミド等のポリマーで作ることができる。
【００１２】
この網は、鋼線等の針金でできた金網製でもよく、その場合には、金網に耐食コーティングおよび／または防汚コーティングを施す。金網構造により、ある程度の可撓性があり、個々の鋼線は隣接の鋼線に対して位置をずらすことができる。また、金網構造により、一方向に繰り返し折り畳み、他の方向にも若干折り畳むことができる。金網は銅合金またはチタンの針金製でもよい。
【００１３】
本発明の実施形態としては、水産養殖網に使用中の網を支え、輸送中の網の支持にも役立つロープが１本以上付いていることが望ましい。
【００１４】
本発明の第２の態様が規定するのは、
ａ．前枠、
ｂ．左右の側枠、および、
ｃ．後枠
を備える、折り畳まれた水産養殖網である。
【００１５】
前枠および左右側枠はすべて長方形または正方形であることが望ましい。左右側枠は、輸送しやすいコンパクトな形状にするため、少なくとも一部がその部分の対角線で折って畳まれている。
【００１６】
水産養殖網の前枠には、左辺、右辺、底辺がある。折り畳まれた水産養殖網は、１回以上、前枠の左辺または右辺に平行な線で折って畳むことができる。この折り畳みは、輸送に適したよりコンパクトな構造にするために行われる。
【００１７】
さらに、折り畳まれた水産養殖網は、１回以上、前枠の底辺に平行な線で折って畳むことができる。この追加の折り畳みにより、さらにコンパクトな構造にすることができる。
【００１８】
本発明の第３の形態が規定するのは、折り畳み可能な水産養殖網を製造する方法である。この方法は、以下のステップを備える。
ａ．前枠を用意するステップ。
ｂ．左右の側枠を用意するステップ。
ｃ．後枠を用意するステップ。
ｄ．底枠を用意するステップ。
ｅ．前枠、左側枠、右側枠、後枠、底枠を相互に接続し、蓋のない籠状にするステップ。
ｆ．左右の側枠の少なくとも一部をその対角線で折って畳むステップ。
【発明を実施するための最良の形態】
【００１９】
図１に分解した水産養殖網の各部品を示す。各部品とその主な要素は以下のとおりである。
【００２０】
前枠１０            −底辺１０２
−左辺１０４
−右辺１０６
左側枠前部２０’    −底辺２０２’
−左辺２０４’
−右辺２０６’
−左下隅２０８’
−右上隅２０９’
−対角線２１０’
右側枠前部２０”    −底辺２０２”
−左辺２０４”
−右辺２０６”
−右下隅２０８”
−左上隅２０９”
−対角線２１０”
第１半底枠３０      −前辺３０２
−左辺３０４
−右辺３０６
−後辺３０８
第２半底枠４０      −前辺４０２
−左辺４０４
−右辺４０６
−後辺４０８
左側枠後部５０’    −底枠５０２’
−右辺５０４’
−左辺５０６’
−右下隅５０８’
−左上隅５０９’
−対角線５１０’
右側枠後部５０”    −底辺５０２”
−右辺５０４”
−左辺５０６”
−左下隅５０８”
−右上隅５０９”
−対角線５１０”
後枠６０            −底辺６０２
−左辺６０４
−右辺６０８
【００２１】
前枠１０、第１半底枠３０、第２半底枠４０、後枠６０の寸法は３０ｍ×１５ｍである。左側枠前部２０’、右側枠前部２０”、左側枠後部３０’、右側枠後部３０”の寸法は１５ｍ×１５ｍである。
【００２２】
籠状の水産養殖網は以下にようにして組み立て、折り畳む。
【００２３】
前枠１０の上に左側枠前部２０’と右側枠前部２０”を並べる。左側枠前部２０’の右辺２０６’を前枠１０の左辺１０４につなぐ。右側枠前部２０”の左辺２０４”を前枠１０の右辺１０６につなぐ。左側枠前部２０’を対角線２１０’で折り、左側枠前部２０’の左下隅２０８’を右上隅２０９’に重ねる。同様に、右側枠前部２０”を対角線２１０”で折り、右下隅２０８”を左上隅２０９”に重ねる。
【００２４】
上記のように折り畳んだ左側枠前部２０’と右側枠前部２０”の上に第１半底枠３０を重ねる。第１半底枠３０の前辺３０２を前枠１０の底辺１０２につなぐ。第１半底枠３０の左辺３０４を左側枠前部２０’の底辺２０２’につなぐ。第１半底枠３０の右辺３０６を右側枠前部２０”の底辺２０２”につなぐ。
【００２５】
第１半底枠３０の上に第２半底枠４０を重ねる。第２半底枠４０の前辺４０２を第１半底枠３０の後辺３０８につなぐ。
【００２６】
第２半底枠４０の上に左側枠後部５０’と右側枠後部５０”を並べる。
【００２７】
左側枠後部５０’の底辺５０２’と第２半底枠４０の左辺４０４をつなぐ。右側枠後部５０”の底辺５０２”と第２半底枠４０の右辺４０６をつなぐ。左側枠後部５０’の右辺５０４’と左側枠前部２０’の左辺２０４’をつなぐ。右側枠後部５０”の左辺５０６”と右側枠前部２０”の右辺２０６”をつなぐ。その上で、左側枠後部５０’を対角線５１０’で折り、右下隅５０８’を左上隅５０９’に重ねる。同様に、右側枠後部５０”は対角線５１０”で折り、左下隅５０８”を右上隅５０９”に重ねる。
【００２８】
前記のように折り畳んだ左側枠後部５０’と右側枠後部５０”の上に後枠６０を重ねる。後枠６０の底辺６０２と第２半底枠４０の後辺４０８をつなぐ。後枠６０の左辺６０４と左側枠後部５０’の左辺５０６’をつなぐ。最後に、後枠６０の右辺６０８と右側枠後部５０”の右辺５０４”をつなぐ。
【００２９】
本発明のほかならぬ特徴は左右の側枠前部２０’と２０”、左右の側枠後部５０’と５０”をそれぞれの対角線２１０’、２１０”、５１０’、５１０”で折り畳むところにある。つまり、左側枠も右側枠も２つの部分、前部と後部に分かれており、それぞれをその対角線で折って畳む。
【００３０】
これに代わる実施形態も考えられる。１つは、側枠を小分割せず、側枠全体の対角線で折って畳めるようにしたものである。また、側枠を２つ以上の部分に分割し、各部をその対角線で折って畳めるようにした実施形態も考えられる。
【００３１】
図１に関する説明に従い、水産養殖網の各部、すなわち前枠、両側枠、後枠、および底枠を組み立てると、折り畳まれた水産養殖網７０ができ、この水産養殖網７０は、図２および図３のように展開し、蓋のない籠状にすることができる。この展開は、水産養殖または養魚の現場で行う。
【００３２】
図４について説明する。図４上は前枠１０の図である。既述のとおり、その寸法は３０ｍ×１５ｍである。前枠１０は、各３．８４ｍ×１５ｍの８つの金網ロール１１０、１２０……で作る。同様に、水産養殖網７０のその他の部分、側枠、底枠、後枠も各種の金網ロールで作る。
【００３３】
図４下は、ロール１１０とロール１２０のつなぎ方を示す。ロール１１０の右端の波形針金１１２は、渦巻きもしくは螺旋状の針金１３０でロール１２０の左端の波形針金１２２につなぎ、針金１３０の外径は金網１１０または１２０の針金の外径と等しくても異なっていてもよい。
【００３４】
前枠１０の残りの金網ロールのほか、水産養殖網７０の残りの部分の金網ロールの接続、すなわち、前枠１０と左右の側枠前部２０’および２０”の接続、前枠１０と第１半底枠３０の接続、左右の側枠前部２０’および２０”と第１半底枠３０の接続、第１半底枠３０と第２半底枠４０の接続、第２半底枠４０と左右の側枠後部５０’および５０”の接続、左右の側枠後部５０’および５０”と後枠６０の接続、および第２半底枠４０と後枠６０の接続も、類似の渦巻き状針金で行う。
【００３５】
渦巻き状針金１３０の中空部分にロープ１４０を通す。ロープは前枠１０の他のロールの間にも、両側枠、底枠、後枠の、水産養殖網の他の部分のロールの間にも通す。また、第１半底枠３０と第２半底枠４０にまたがって対角線状に通してもよいし、第１半底枠３０と第２半底枠４０をつないでもよい。
【００３６】
このロープにより、水産養殖網７０を輸送する構造を作る。
【００３７】
次に、図１に関する説明に従って組み立てられた折り畳み水産養殖網７０の概略を示す図５について説明する。ここに示されているのは後枠６０の側から見た上部の図である。この後枠６０の寸法は前枠１０の寸法と同じであり、３０ｍ×１５ｍである。このままの寸法では大きすぎて運べない。このため、水産養殖網７０はトラックで輸送可能な大きさになるまで折り畳む。
【００３８】
図６はこの折り畳みの最初の段階を示す。水産養殖網７０を線６１０に沿って矢印６２０の方向へ折り、図７に示す形状にする。図７の折り畳まれた水産養殖網７０の大きさは、平面寸法、すなわち上から見た寸法で表せ、それは図５の水産養殖網の寸法の半分になっている。図７の折り畳まれた構造の寸法は１５ｍ×１５ｍである。
【００３９】
次に、図７の水産養殖網７０を線６２５に沿って図８の矢印６３０の方向へ折り、平面の寸法をまた半分にする。図８の水産養殖網７０の平面寸法は７．５ｍ×１５ｍである。
【００４０】
図９は、次の折り畳みの段階を示す。水産養殖網７０の３分の１を矢印６４０の方向へ折る。これによって折り畳まれた水産養殖網の平面寸法は５．０ｍ×１５ｍになる。
【００４１】
図１０は最後から２番目の段階を示す。水産養殖網７０をまた矢印６５０の方向へ３分の１だけ折る。図１０のこの折り畳まれた水産養殖網７０の寸法は２．５ｍ×１５ｍである。
【００４２】
図１１は最後の折り畳み段階を示す。水産養殖網７０を図１０の線６５５に沿って図１１の矢印６６０の方向へ折り、図１１に示す形状にする。折り畳まれた水産養殖網７０の平面寸法は２．５ｍ×７．５ｍになる。これは、トラックで輸送可能な寸法である。当然、折り畳まれた水産養殖網の厚さは折り畳むたびに増す。
【００４３】
水産養殖網が鋼線の金網製の場合は、折り畳みは手で行わず、油圧クレーンで行う。
【００４４】
同様に、展開も船に設置された油圧クレーンで行う。展開時、網は直ちに水中に入れる。水産養殖網全体が沈むのを避けるため、一部のロープに十分なブイを取り付ける。ブイは相互に間隔をあけ、水産養殖網が水面下で展開時の形状になるようにする。
【００４５】
図１２、図１３は、水産養殖網７０を設置できる場所と方法を示す。
【００４６】
図１２は、水産養殖網用浮体支持構造８０の方形実施形態を示す。各種中空軽量チューブを接続したこの浮体支持構造８０は、プラットホーム８０４と接続されていかだ８０２を形成する。プラットホーム８０４上は人が歩き回れる。いかだ８０２には、水産養殖網を取り付ける各種フックまたはベルト８０６が付いている。
【００４７】
図１３は、水産養殖網用浮体支持構造９０物の円形実施形態を示す。この場合も、中空チューブがプラットホーム９０４と接続されていかだ９０２を形成する。水産養殖網７０は各種のフックまたはベルト９０６で懸下できる。以上のすべての図面に示された水産養殖網７０の原理がこの円形実施形態にも適用される。ただし、水産養殖網の底枠は長方形または正方形のままであり、上面が円に近い形状（より正確には、多角形の形状）になる。
【図面の簡単な説明】
【００４８】
【図１】分解した水産養殖網の各種部品を示す。
【図２】組み立てられた水産養殖網の展開の一段階を示す。
【図３】組み立てられた水産養殖網の展開の一段階を示す。
【図４】水産養殖網の前枠およびその前枠の各部の接続方法を示す。
【図５】水産養殖網の折り畳みの一段階を示す。
【図６】水産養殖網の折り畳みの一段階を示す。
【図７】水産養殖網の折り畳みの一段階を示す。
【図８】水産養殖網の折り畳みの一段階を示す。
【図９】水産養殖網の折り畳みの一段階を示す。
【図１０】水産養殖網の折り畳みの一段階を示す。
【図１１】水産養殖網の折り畳みの一段階を示す。
【図１２】設置した水産養殖網を上から見たところを示す上面図である。
【図１３】設置した水産養殖網を上から見たところを示す上面図である。
【図１】
0005394741.tif 000002
【図２】
0005394741.tif 000003
【図３】
0005394741.tif 000004
【図４】
0005394741.tif 000005
【図５】
0005394741.tif 000006
【図６】
0005394741.tif 000007
【図７】
0005394741.tif 000008
【図８】
0005394741.tif 000009
【図９】
0005394741.tif 000010
【図１０】
0005394741.tif 000011
【図１１】
0005394741.tif 000012
【図１２】
0005394741.tif 000013
【図１３】
0005394741.tif 000014